(57)【要約】【課題】ヘアキャッチャーが回転することを抑制することができる排水口装置を提供することを目的とする。【解決手段】遠隔操作によりワイヤを進退させることで排水栓蓋を昇降させ排水口を開閉する排水口装置であって、洗面ボウルに設けられた前記排水口の周囲の部分に取り付けられる排水筒部と、下方に延在する栓軸を有し前記排水口を開閉する前記排水栓蓋と、ヘアキャッチャーであって、前記栓軸を摺動可能に内包する軸筒部と、前記軸筒部から放射状に延在し鉛直方向の厚さが水平方向の厚さよりも厚い複数の放射リブと前記複数の放射リブ同士を繋ぐ横リブとを有し毛髪を捕捉するネット部と、を有するヘアキャッチャーと、前記排水筒部および前記ヘアキャッチャーに設けられ前記ヘアキャッチャーが前記栓軸を中心として回転することを規制する回転規制部と、を備えたことを特徴とする排水口装置が提供される。【選択図】図３
2015001144.tif 000002
【特許請求の範囲】
【請求項１】
遠隔操作によりワイヤを進退させることで排水栓蓋を昇降させ排水口を開閉する排水口装置であって、
洗面ボウルに設けられた前記排水口の周囲の部分に取り付けられる排水筒部と、
下方に延在する栓軸を有し前記排水口を開閉する前記排水栓蓋と、
ヘアキャッチャーであって、
前記栓軸を摺動可能に内包する軸筒部と、
前記軸筒部から放射状に延在し鉛直方向の厚さが水平方向の厚さよりも厚い複数の放射リブと前記複数の放射リブ同士を繋ぐ横リブとを有し毛髪を捕捉するネット部と、
を有するヘアキャッチャーと、
前記排水筒部および前記ヘアキャッチャーに設けられ前記ヘアキャッチャーが前記栓軸を中心として回転することを規制する回転規制部と、
を備えたことを特徴とする排水口装置。
【請求項２】
前記排水筒部は、前記ワイヤの端部を支持する支持部材を有し、
前記軸筒部は、下端部において傘状に広がった形状の拡張部を有し、
前記回転規制部は、
前記支持部材に設けられた第１の突起と、
前記拡張部の内周に設けられ前記第１の突起と係止可能な第２の突起と、
を有することを特徴とする請求項１記載の排水口装置。
【請求項３】
前記第１の突起は、複数設けられ、
前記第２の突起は、複数設けられ、
前記複数の第１の突起同士の間の距離は、溝を形成しない距離に設定され、
前記複数の第２の突起同士の間の距離は、溝を形成しない距離に設定されたことを特徴とする請求項２記載の排水口装置。
【請求項４】
前記第１の突起は、１つ設けられ、
前記第２の突起は、１つ設けられたことを特徴とする請求項２記載の排水口装置。
【請求項５】
前記第１の突起および前記第２の突起のいずれか一方は、１つ設けられ、
前記第１の突起および前記第２の突起のいずれか他方は、複数設けられ、
前記複数の他方の突起同士の間の距離は、溝を形成しない距離に設定されたことを特徴とする請求項２記載の排水口装置。
【請求項６】
前記栓軸の回転を規制する第２の回転規制部であって、
前記栓軸の外周に設けられた第３の突起と、
前記軸筒部の内周に設けられ前記第３の突起と係止可能な第４の突起と、
を有する第２の回転規制部をさらに備えたことを特徴とする請求項１〜５のいずれか１つに記載の排水口装置。
【発明の詳細な説明】
【技術分野】
【０００１】
本発明の態様は、一般的に、排水口装置に関する。
【背景技術】
【０００２】
排水栓を開閉させる押しボタンが設置され、押しボタンに接続されたワイヤで排水栓を開閉をする洗面化粧台用の排水栓装置がある（特許文献１）。特許文献１に記載された排水栓装置は、排水口を開閉する排水栓蓋と、排水栓蓋の下方に延在する栓軸に取り付けられたヘアキャッチャーと、を備える。ヘアキャッチャーが取り付けられた排水栓蓋は、ワイヤの端部の上に載置され、ワイヤの進退動作により昇降し排水口を開閉する。
【０００３】
しかし、排水栓蓋は、ワイヤの端部の上に載置されているだけで位置を拘束されていない。そのため、排水栓蓋およびヘアキャッチャーの少なくともいずれかが、排水口へ流れ込む水の流れにより回転することがある。ヘアキャッチャーが回転すると、毛髪やごみなどがヘアキャッチャーのネット部に絡みつき、清掃性の良さを阻害するおそれがある。この点においては、改善の余地がある。
【先行技術文献】
【特許文献】
【０００４】
【特許文献１】特開２０１０−３７９２３号公報
【発明の概要】
【発明が解決しようとする課題】
【０００５】
本発明は、かかる課題の認識に基づいてなされたものであり、ヘアキャッチャーが回転することを抑制することができる排水口装置を提供することを目的とする。
【課題を解決するための手段】
【０００６】
第１の発明は、遠隔操作によりワイヤを進退させることで排水栓蓋を昇降させ排水口を開閉する排水口装置であって、洗面ボウルに設けられた前記排水口の周囲の部分に取り付けられる排水筒部と、下方に延在する栓軸を有し前記排水口を開閉する前記排水栓蓋と、ヘアキャッチャーであって、前記栓軸を摺動可能に内包する軸筒部と、前記軸筒部から放射状に延在し鉛直方向の厚さが水平方向の厚さよりも厚い複数の放射リブと前記複数の放射リブ同士を繋ぐ横リブとを有し毛髪を捕捉するネット部と、を有するヘアキャッチャーと、前記排水筒部および前記ヘアキャッチャーに設けられ前記ヘアキャッチャーが前記栓軸を中心として回転することを規制する回転規制部と、を備えたことを特徴とする排水口装置である。
【０００７】
この排水口装置によれば、ヘアキャッチャーの回転は、回転規制部により規制される。つまり、この排水口装置によれば、ヘアキャッチャーが回転することを抑制することができる。回転を規制されたヘアキャッチャーが毛髪を捕集するため、毛髪がヘアキャッチャーに絡みにくく、ヘアキャッチャーをお手入れしやすくなる。
【０００８】
第２の発明は、第１の発明において、前記排水筒部は、前記ワイヤの端部を支持する支持部材を有し、前記軸筒部は、下端部において傘状に広がった形状の拡張部を有し、前記回転規制部は、前記支持部材に設けられた第１の突起と、前記拡張部の内周に設けられ前記第１の突起と係止可能な第２の突起と、を有することを特徴とする排水口装置である。
【０００９】
この排水口装置によれば、既存の部品の形状を変更したより簡単な構造で、回転規制部を形成することができる。そのため、ヘアキャッチャーの回転抑制をより低いコストで実現することができる。また、第２の突起は、拡張部の内周側に設けられる。ヘアキャッチャーが設置された状態において、第１の突起は、拡張部の内周側に配置される。そのため、排水口から手を差し込むことができる範囲の排水筒部の内面には突起がない。これにより、排水筒部の内面の清掃性が損なわれることを抑制することができる。
【００１０】
第３の発明は、第２の発明において、前記第１の突起は、複数設けられ、前記第２の突起は、複数設けられ、前記複数の第１の突起同士の間の距離は、溝を形成しない距離に設定され、前記複数の第２の突起同士の間の距離は、溝を形成しない距離に設定されたことを特徴とする排水口装置である。
【００１１】
この排水口装置によれば、回転規制部の突起が溝を形成しないため、回転規制部の突起に付着した汚れを比較的容易に取ることができる。そのため、清掃性が損なわれることを抑制することができる。
【００１２】
第４の発明は、第２の発明において、前記第１の突起は、１つ設けられ、前記第２の突起は、１つ設けられたことを特徴とする排水口装置である。
【００１３】
この排水口装置によれば、第１の突起および第２の突起は、それぞれ１つずつ設けられている。そのため、第１の突起および第２の突起は、溝を形成しない。これにより、回転規制部の突起に付着した汚れを比較的容易に取ることができる。そのため、清掃性が損なわれることを抑制することができる。
【００１４】
第５の発明は、第２の発明において、前記第１の突起および前記第２の突起のいずれか一方は、１つ設けられ、前記第１の突起および前記第２の突起のいずれか他方は、複数設けられ、前記複数の他方の突起同士の間の距離は、溝を形成しない距離に設定されたことを特徴とする排水口装置である。
【００１５】
この排水口装置によれば、回転規制部の突起が溝を形成しないため、回転規制部の突起に付着した汚れを比較的容易に取ることができる。そのため、清掃性が損なわれることを抑制することができる。
【００１６】
第６の発明は、第１〜５のいずれか１つの発明において、前記栓軸の回転を規制する第２の回転規制部であって、前記栓軸の外周に設けられた第３の突起と、前記軸筒部の内周に設けられ前記第３の突起と係止可能な第４の突起と、を有する第２の回転規制部をさらに備えたことを特徴とする排水口装置である。
【００１７】
水が旋回しつつ排水口へ流れ込むと、排水栓蓋は、旋回流から力を受け回転するおそれがある。  
これに対して、この排水口装置によれば、排水口に対して回転を規制されたヘアキャッチャーの軸筒部に対して、排水栓蓋の栓軸が係止し回転を規制される。これにより、排水栓蓋の回転が規制される。
【発明の効果】
【００１８】
本発明の態様によれば、ヘアキャッチャーが回転することを抑制することができる排水口装置が提供される。
【図面の簡単な説明】
【００１９】
【図１】本発明の実施の形態にかかる洗面化粧台を表す模式図である。
【図２】ヘアキャッチャーの概略を表す模式的斜視図である。
【図３】本実施形態の排水口装置を表す模式的斜視図である。
【図４】本実施形態の排水口装置を表す模式的断面図である。
【図５】図４（ａ）に表した切断面Ｂ−Ｂにおける模式的断面図である。
【図６】本実施形態のヘアキャッチャーを表す模式図である。
【図７】本実施形態の排水栓蓋を表す模式図である。
【図８】本実施形態の支持部材を表す模式図である。
【発明を実施するための形態】
【００２０】
以下、本発明の実施の形態について図面を参照しつつ説明する。なお、各図面中、同様の構成要素には同一の符号を付して詳細な説明は適宜省略する。  
図１は、本発明の実施の形態にかかる洗面化粧台を表す模式図である。  
図２は、ヘアキャッチャーの概略を表す模式的斜視図である。  
図１（ａ）は、本実施形態にかかる洗面化粧台を表す模式的斜視図である。図１（ｂ）は、本実施形態にかかる洗面化粧台を上方から眺めたときの模式的平面図である。  
図２（ａ）は、本実施形態のヘアキャッチャーを表す模式的斜視図である。図２（ｂ）は、比較例のヘアキャッチャーを表す模式的斜視図である。
【００２１】
本実施形態にかかる洗面化粧台１００は、洗面ボウル１１０と、スパウト１２０と、排水口装置２００と、を備える。
【００２２】
洗面ボウル１１０は、例えば床面などに設置された洗面台１８０の上部に設けられている。洗面ボウル１１０は、底面１１１と、第１の側面１１３と、第２の側面１１５と、を有する。また、洗面ボウル１１０は、排水口１１７を有する。排水口１１７は、洗面ボウル１１０の片隅の奥部に設けられている。図１に表した洗面化粧台１００では、排水口１１７は、洗面ボウル１１０の奥部の位置であって、第１の側面１１３と第２の側面１１５との間のコーナ部の位置に設けられている。
【００２３】
ここで、本願明細書においては、洗面ボウル１１０を向いて洗面化粧台１００の前に立つ使用者からみて上方を「上方」とし、下方を「下方」とし、右側を「右側方」とし、左側を「左側方」とし、手前側を「前方」とし、奥側を「後方」とする。左右方向は、いわゆる間口方向である。  
また、本願明細書において「水」という場合には、冷水のみならず、加熱されたお湯も含むものとする。
【００２４】
図１（ａ）に表したように、底面１１１は、略平坦な形状を呈し、排水口１１７へ向かって傾斜している。図１（ｂ）に表したように、上方からみたときに、底面１１１は、略矩形の形状を呈する。第１の側面１１３および第２の側面１１５のそれぞれは、底面１１１からみて比較的急な傾斜を有する。
【００２５】
排水口１１７の部分には、排水口装置２００が設けられている。排水口装置２００は、排水栓蓋２２０と、ヘアキャッチャー２３０（図２参照）と、を有する。排水栓蓋２２０は、排水口１１７を開閉する。ヘアキャッチャー２３０は、排水口１１７よりも下方に設けられ、毛髪やごみなどを捕捉することができる。排水口装置２００については、後に詳述する。
【００２６】
スパウト１２０は、排水口１１７から間口方向に離隔した位置に設けられている。図１（ａ）および図１（ｂ）に表した洗面化粧台１００では、排水口１１７から左側方へ離隔した位置に設けられている。スパウト１２０は、洗面ボウル１１０へ向けて水を吐出する。
【００２７】
例えば図１（ｂ）に表した矢印Ａ１のように、スパウト１２０から吐出された水は、前方へ向かって洗面ボウル１１０の底面１１１を流れる。続いて、例えば図１（ｂ）に表した矢印Ａ２〜Ａ７のように、スパウト１２０から吐出された水は、底面１１１の傾斜に略沿って流れ、排水口１１７へ向かって流れる。すると、例えば図１（ｂ）に表した矢印Ａ８、図２（ａ）に表した矢印Ａ１１あるいは図２（ｂ）に表した矢印Ａ１２のように、排水口１１７が洗面ボウル１１０の間口方向における略中心の位置（例えばスパウト１２０の下方の位置）に設けられた場合と比較して、水は、強い旋回力あるいは速い旋回速度で旋回しつつ排水口１１７へ流れ込む。
【００２８】
ヘアキャッチャー２３０が回転することを規制する回転規制部が設けられていない場合には、図２（ｂ）に表した矢印Ａ１３のように、ヘアキャッチャー２３０は、排水口１１７へ流れ込む水の旋回力を受けて回転することがある。本発明者が得た知見によれば、図２（ｂ）に表したように、ヘアキャッチャー２３０が回転すると、毛髪やごみなどがヘアキャッチャー２３０に絡みつくことがある。すると、ヘアキャッチャー２３０の清掃性を阻害するおそれがある。
【００２９】
これに対して、本実施形態にかかる洗面化粧台１００では、ヘアキャッチャー２３０が回転することを規制する回転規制部が設けられている。  
これによれば、ヘアキャッチャー２３０の回転が規制される。図２（ａ）に表したように、回転が規制されたヘアキャッチャー２３０は、毛髪やごみなどと共には回転せず、毛髪やごみなどを捕集する。言い換えれば、毛髪やごみなどは、ヘアキャッチャー２３０のネット部２３５の上を周回し、ヘアキャッチャー２３０に捕集される。これにより、毛髪やごみなどがヘアキャッチャー２３０に絡みにくく、ヘアキャッチャー２３０をお手入れしやすくなる。
【００３０】
図３は、本実施形態の排水口装置を表す模式的斜視図である。  
図４は、本実施形態の排水口装置を表す模式的断面図である。  
図５は、図４（ａ）に表した切断面Ｂ−Ｂにおける模式的断面図である。  
図６は、本実施形態のヘアキャッチャーを表す模式図である。  
図７は、本実施形態の排水栓蓋を表す模式図である。  
図８は、本実施形態の支持部材を表す模式図である。
【００３１】
図３（ａ）は、本実施形態の排水口装置を表す模式的斜視図である。図３（ｂ）は、図３（ａ）に表した領域Ａ３１を拡大した模式的拡大図である。但し、説明の便宜上、図３（ａ）は、図１（ｂ）に表した切断面Ａ−Ａにおける断面図を表している。  
図４（ａ）は、図１（ｂ）に表した切断面Ａ−Ａにおける模式的断面図である。図４（ｂ）は、本実施形態の排水口装置を上下方向へ分解した模式的分解図である。  
図６（ａ）は、本実施形態のヘアキャッチャーを表す模式的平面図である。図６（ｂ）は、本実施形態のヘアキャッチャーを図６（ａ）に表した矢視Ｂ１の方向に眺めたときの模式的平面図である。図６（ｃ）は、本実施形態のヘアキャッチャーを図６（ａ）に表した矢視Ｂ２の方向に眺めたときの模式的平面図である。図６（ｄ）は、図６（ｂ）に表した切断面Ｃ−Ｃにおける模式的断面図である。  
図７（ａ）は、本実施形態の排水栓蓋を表す模式的平面図である。図７（ｂ）は、図７（ａ）に表した切断面Ｄ−Ｄにおける模式的断面図である。  
図８（ａ）は、本実施形態の支持部材を表す模式的平面図である。図８（ｂ）は、図８（ａ）に表した切断面Ｅ−Ｅにおける模式的断面図である。図８（ｃ）は、図８（ｂ）に表した領域Ａ３２における模式的拡大図である。
【００３２】
本実施形態の排水口装置２００は、排水筒部２１０と、排水栓蓋２２０と、ヘアキャッチャー２３０と、を備える。  
排水筒部２１０は、ナット２１５により排水口１１７の周囲の部分に固定されている。排水筒部２１０は、支持部材２１１を有する。図３（ａ）および図４（ａ）に表したように、支持部材２１１は、排水筒部２１０の内部に設けられている。図３（ｂ）、図４（ｂ）および図８（ｃ）に表したように、支持部材２１１は、第１の突起（回転規制部）２１３を有する。図８（ａ）〜図８（ｃ）に表した支持部材２１１では、１つの第１の突起２１３が設けられているが、第１の突起２１３の設置数は、これだけに限定されない。
【００３３】
図７（ａ）に表したように、排水栓蓋２２０は、栓軸２２１を有する。図７（ｂ）に表したように、栓軸２２１は、下方へ延在する。排水栓蓋２２０は、上下方向へ移動することにより排水口１１７を開閉する。
【００３４】
図３（ａ）および図４（ａ）に表したように、ヘアキャッチャー２３０は、排水筒部２１０の内部において排水栓蓋２２０の下方に設けられている。図６（ａ）〜図６（ｄ）に表したように、ヘアキャッチャー２３０は、軸筒部２３１と、ネット部２３５と、を有する。軸筒部２３１は、筒状あるいは中空形状を呈し、排水栓蓋２２０の栓軸２２１を摺動可能に内包する。ネット部２３５は、放射リブ２３５ａと、横リブ２３５ｂと、を有する。放射リブ２３５ａは、軸筒部２３１から放射状に延在する。放射リブ２３５ａの略鉛直方向の厚さは、放射リブ２３５ａの略水平方向の厚さよりも厚い。言い換えれば、放射リブ２３５ａは、縦長の形状を呈する。横リブ２３５ｂは、軸筒部２３１よりも外側において軸筒部２３１と略同心円状に設けられ、複数の放射リブ２３５ａ同士を繋ぐ。ヘアキャッチャー２３０は、ネット部２３５において毛髪やごみなどを捕捉することができる。その際、旋回しつつ排水口１１７に流れ込む水が、水とともに排水口１１７に流れ込む毛髪やごみを環状にまとめる。そのため、毛髪やごみは、ネット部２３５の放射リブ２３５ａの上面で捕捉される。これにより、ネット部２３５には毛髪やごみが絡みにくい。
【００３５】
図３（ｂ）、図４（ｂ）および図６（ｄ）に表したように、ヘアキャッチャー２３０は、第２の突起（回転規制部）２３３を有する。第２の突起２３３は、軸筒部２３１の内周における下端部に設けられている。具体的には、軸筒部２３１は、基部２３１ａと、拡張部２３１ｂと、を有する。拡張部２３１ｂは、基部２３１ａの下端部に設けられている。拡張部２３１ｂの内径は、基部２３１ａの内径よりも大きい。拡張部２３１ｂの内径は、下方へ向かうにつれて大きくなる。言い換えれば、拡張部２３１ｂは、基部２３１ａの下端部が傘状に広がった形状を有する。第２の突起２３３は、拡張部２３１ｂの内周に設けられている。
【００３６】
第２の突起２３３は、支持部材２１１の第１の突起２１３と係止可能とされてなる。図６（ａ）〜図６（ｄ）に表したヘアキャッチャー２３０では、２つの第２の突起２３３が設けられているが、第２の突起２３３の設置数は、これだけに限定されない。例えば図３（ａ）および図３（ｂ）に表したヘアキャッチャー２３０では、１つの第２の突起２３３が設けられている。
【００３７】
第２の突起２３３は、拡張部２３１ｂの内周側に設けられている。ヘアキャッチャー２３０が設置された状態において、第１の突起２１３は、拡張部２３１ｂの内周側に配置される。そのため、排水口１１７から手を差し込むことができる範囲の排水筒部２１０の内面には突起がない。これにより、排水筒部２１０の内面の清掃性が損なわれることを抑制することができる。
【００３８】
ヘアキャッチャー２３０が回転することを規制する回転規制部が設けられていない場合には、ヘアキャッチャー２３０は、排水口１１７へ流れ込む水の旋回力を受けて回転することがある。  
これに対して、本実施形態の排水口装置２００では、第１の突起２１３を有する支持部材２１１と、第２の突起２３３を有するヘアキャッチャー２３０と、を有する。
【００３９】
図３（ｂ）に表したように、ヘアキャッチャー２３０が回転しようとすると、第２の突起２３３は、第１の突起２１３と当接し係止される。これにより、ヘアキャッチャー２３０の回転が規制される。図１および図２に関して前述したように、毛髪やごみなどがヘアキャッチャー２３０に絡みにくく、ヘアキャッチャー２３０をお手入れしやすくなる。また、既存の部品の形状を変更したより簡単な構造で、回転規制部（第１の突起２１３、第２の突起２３３）を形成することができる。そのため、ヘアキャッチャー２３０の回転抑制をより低いコストで実現することができる。
【００４０】
図６（ｂ）および図６（ｄ）に表したように、２つの第２の突起２３３は、互いに対向する位置に設けられている。言い換えれば、２つの第２の突起２３３は、互いに１８０度の角度を隔てて設けられている。そのため、２つの第２の突起２３３同士の間においては、ヘアキャッチャー２３０を清掃する上では十分な距離が確保され、溝は形成されていない。  
例えば図８（ａ）において、二点鎖線で表した第１の突起２１３および実線で表した第１の突起２１３のように、支持部材２１１は、３つの第１の突起２１３を有していてもよい。図８（ａ）の表した例では、３つの第１の突起２１３は、互いに１２０度の角度を隔てて設けられている。そのため、３つの第１の突起２１３同士の間においては、支持部材２１１を清掃する上では十分な距離が確保され、溝は形成されていない。
【００４１】
本願明細書において、「溝」とは、隣り合う突起同士の間の距離あるいは対向する壁面同士の間の距離が５ミリメートル以下のくぼみをいうものとする。
【００４２】
これによれば、回転規制部の突起（本実施形態では、第１の突起２１３および第２の突起２３３）が溝を形成しないため、回転規制部の突起に付着した汚れを比較的容易に取ることができる。そのため、清掃性が損なわれることを抑制することができる。
【００４３】
排水口装置２００は、遠隔操作により排水栓蓋２２０を昇降させ、排水口１１７を開閉することができる。すなわち、図３（ａ）および図３（ｂ）に表したように、排水口装置２００は、操作部２４１と、オーバーフロー排水配管２４２と、ワイヤ２４３と、作動部２４５と、支軸２４７と、を備える。
【００４４】
作動部２４５は、支持部材２１１に支持されている。ワイヤ２４３の一端は、支軸２４７と接続されている。すなわち、ワイヤ２４３の端部は、支持部材２１１に支持されている。ワイヤ２４３の他端は、操作部２４１と接続されている。例えば使用者等は、操作部２４１を操作することでワイヤ２４３を進退させることができる。ワイヤ２４３が排水筒部２１０の内部へ向かって進出すると、支軸２４７は、図３（ｂ）に表した矢印Ａ１４のように上昇する。支軸２４７は、上昇すると栓軸２２１の下端部２２５と当接し、下端部２２５を上方へ押す。これにより、排水栓蓋２２０が上昇する。一方で、ワイヤ２４３が排水筒部２１０の外部へ向かって後退すると、支軸２４７は、図３（ｂ）に表した矢印Ａ１５のように下降する。これにより、排水栓蓋２２０は、自重により下降する。このようにして、排水口装置２００は、遠隔操作により排水栓蓋２２０を昇降させ、排水口１１７を開閉させることができる。
【００４５】
ここで、前述したように、排水栓蓋２２０の栓軸２２１は、昇降する支軸２４７から支持されている。つまり、排水栓蓋２２０の栓軸２２１は、支軸２４７に固定されたり、支軸２４７と結合されているわけではない。そのため、排水栓蓋２２０が回転することを規制する回転規制部（本実施形態では、第２の回転規制部）が設けられていない場合には、排水栓蓋２２０は、排水口１１７へ流れ込む水の旋回力を受けて回転することがある。
【００４６】
これに対して、本実施形態の排水口装置２００では、図７（ｂ）に表したように、栓軸２２１は、第３の突起（第２の回転規制部）２２３を有する。第３の突起２２３は、栓軸２２１の外周に設けられている。第３の突起２２３は、栓軸２２１の外周から外側へ向かって突出している。  
また、図５、図６（ａ）および図６（ｂ）に表したように、ヘアキャッチャー２３０は、第４の突起（第２の回転規制部）２３７を有する。図６（ｄ）に表したように、第４の突起２３７は、軸筒部２３１の内周において、上端部から中央部にかけて設けられている。第４の突起２３７は、軸筒部２３１の内周から内側へ向かって突出している。第４の突起２３７は、排水栓蓋２２０の栓軸２２１の外周に設けられた第３の突起２２３と係止可能とされてなる。
【００４７】
図５に表したように、排水栓蓋２２０が回転しようとすると、第３の突起２２３は、第４の突起２３７と当接する。一方で、前述したように、ヘアキャッチャー２３０の回転は、第１の突起２１３および第２の突起２３３により規制されている。そのため、第３の突起２２３は、第４の突起２３７と当接することで係止される。これにより、排水栓蓋２２０の回転が規制される。
【００４８】
これによれば、排水栓蓋２２０は、排水口１１７へ流れ込む水の旋回力を受けて回転しようとしても、第３の突起２２３および第４の突起２３７により回転を規制される。
【００４９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗面化粧台１００および排水口装置２００などが備える各要素の形状、寸法、材質、配置などや排水栓蓋２２０、ヘアキャッチャー２３０および排水口１１７の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５０】
１００ 洗面化粧台、  １１０ 洗面ボウル、  １１１ 底面、  １１３ 第１の側面、  １１５ 第２の側面、  １１７ 排水口、  １２０ スパウト、  １８０ 洗面台、  ２００ 排水口装置、  ２１０ 排水筒部、  ２１１ 支持部材、  ２１３ 第１の突起、  ２１５ ナット、  ２２０ 排水栓蓋、  ２２１ 栓軸、  ２２３ 第３の突起、  ２２５ 下端部、  ２３０ ヘアキャッチャー、  ２３１ 軸筒部、  ２３１ａ 基部、  ２３１ｂ 拡張部、  ２３３ 第２の突起、  ２３５ ネット部、  ２３５ａ 放射リブ、  ２３５ｂ 横リブ、  ２３７ 第４の突起、  ２４１ 操作部、  ２４２ オーバーフロー排水配管、  ２４３ ワイヤ、  ２４５ 作動部、  ２４７ 支軸
【図１】
2015001144.tif 000003
【図２】
2015001144.tif 000004
【図３】
2015001144.tif 000005
【図４】
2015001144.tif 000006
【図５】
2015001144.tif 000007
【図６】
2015001144.tif 000008
【図７】
2015001144.tif 000009
【図８】
2015001144.tif 000010